(57)【要約】  本発明に係る照明器具は、ランプのアース用口金が接続されるアース用ソケットと、前記アース用ソケットを保持する器具本体とを備える。前記アース用ソケットは、その内部に収納される導電部材と、その外壁に設けられるスリットとを有する。前記導電部材は、前記アース用口金に設けられた接地端子と電気的に接続するように構成される。前記器具本体は、前記スリットに挿入されることで前記アース用ソケットを保持する保持片を有する。前記保持片は、零電位を有する。前記導電部材は、前記スリットを通して外部に露出し、且つ前記スリットに挿入された前記保持片に弾性力をもって接触する接触片を有する。
2013183204.tif 000002
【特許請求の範囲】
【請求項１】
ランプのアース用口金が接続されるアース用ソケットと、
前記アース用ソケットを保持する器具本体とを備え、
前記アース用ソケットは、その内部に収納される導電部材と、その外壁に設けられるスリットとを有し、
前記導電部材は、前記アース用口金に設けられた接地端子と電気的に接続するように構成され、
前記器具本体は、前記スリットに挿入されることで前記アース用ソケットを保持する保持片を有し、
前記保持片は、零電位を有し、
前記導電部材は、前記スリットを通して外部に露出し、且つ前記スリットに挿入された前記保持片に弾性力をもって接触する接触片を有することを特徴とする照明器具。
【請求項２】
前記スリットは、その長手方向の一端に開口端を有し、
前記保持片は、前記開口端を通して前記スリットに挿入され、
前記導電部材は、前記接触片が前記保持片と接触する部位よりも前記開口端に近い部位に突起を有し、
前記突起は、前記保持片の表面を削る刃を有することを特徴とする請求項１記載の照明器具。
【請求項３】
前記突起は、前記スリットの長手方向に沿って複数設けられることを特徴とする請求項２記載の照明器具。
【発明の詳細な説明】
【技術分野】
【０００１】
本発明は、直管形のランプを光源とする照明器具に関する。
【背景技術】
【０００２】
近年、ＬＥＤ（発光ダイオード）の発光効率の上昇に伴い、低消費電力かつ長寿命であるＬＥＤを照明装置の光源として用いることが可能となっている。例えば、特許文献１には、直管形の外管体の内部にＬＥＤ基板が保持され、外管体の両端に既存の直管形蛍光灯の取付器具に装着されるべき２つの口金を備えた照明装置（ＬＥＤランプ）が開示されている。
【先行技術文献】
【特許文献】
【０００３】
【特許文献１】特開２００９−４３４４７号公報
【発明の概要】
【発明が解決しようとする課題】
【０００４】
ところで、直管形のＬＥＤランプには、片側の口金に接地端子が設けられたものがある。例えば、日本電球工業会規格で規格化されているJEL801「Ｌ形ピン口金GX16t-5付直管形ＬＥＤランプシステム（一般照明用）」におけるＬＥＤランプは、一方の口金に給電用の１対の端子ピンが設けられ、他方の口金には接地用の端子ピンが設けられている。そして、このようなＬＥＤランプを光源とする照明器具では、図１４に示すように、給電用の口金が装着される給電用のソケット（図示せず）と、アース用の口金が装着されるアース用ソケット１００とが器具本体（図示せず）に取り付けられている。【０００５】
ここで、アース用ソケット１００は、その内部にＬＥＤランプのランプピン（図示せず）が接触接続する導電板（導電部材）１０１を備えており、この導電板１０１を器具本体に接続して接地する必要がある。アース用ソケット１００には、リード線１０２の一端を挿入可能な電線挿入孔１００Ａが設けられており、導電板１０１には、電線挿入孔１００Ａに挿入されたリード線１０２の一端が接続される速結端子部（図示せず）が設けられている。また、リード線１０２の他端には、器具本体１０１にねじ止めするための圧着端子１０２Ａが設けられている。【０００６】
以下、アース用ソケット１００の導電板１０１を器具本体に接続する方法について説明する。先ず、アース用ソケット１００の電線挿入孔１００Ａにリード線１０２の一端を挿入し、導電板１０１の速結端子部にリード線１０２の一端を接続する。次に、リード線１０２の他端に設けられた圧着端子１０２Ａを器具本体の何れかの面に当接させ、当該圧着端子１０２Ａを器具本体にねじ止めする。これにより、アース用ソケット１００の導電板１０１を器具本体に電気的に接続して接地することができる。【０００７】
しかしながら、上記のようにアース用ソケット１００の導電板１０１を器具本体に接続する場合には、リード線１０２を用いて器具本体にねじ止めする作業を行う必要がある。この場合、リード線１０２の先端に圧着端子１０２Ａを設ける加工が必要となり、ねじ止めの際にもねじの緩みに配慮せねばならず、更にリード線１０２の引き回しにも手間がかかり、組立作業（結線作業）が煩わしいという問題があった。【０００８】
本発明は、上記の点に鑑みて為されたもので、リード線を用いることなくアース用ソケットの導電部材を器具本体に容易に電気的に接続して接地することのできる照明器具を提供することを目的とする。
【課題を解決するための手段】
【０００９】
本発明の照明器具は、ランプのアース用口金が接続されるアース用ソケットと、前記アース用ソケットを保持する器具本体とを備える。前記アース用ソケットは、その内部に収納される導電部材と、その外壁に設けられるスリットとを有する。前記導電部材は、前記アース用口金に設けられた接地端子と電気的に接続するように構成される。前記器具本体は、前記スリットに挿入されることで前記アース用ソケットを保持する保持片を有する。前記保持片は、零電位を有する。前記導電部材は、前記スリットを通して外部に露出し、且つ前記スリットに挿入された前記保持片に弾性力をもって接触する接触片を有することを特徴とする。【００１０】
この照明器具において、前記スリットは、その長手方向の一端に開口端を有し、前記保持片は、前記開口端を通して前記スリットに挿入され、前記導電部材は、前記接触片が前記保持片と接触する部位よりも前記開口端に近い部位に突起を有し、前記突起は、前記保持片の表面を削る刃を有することが好ましい。【００１１】
この照明器具において、前記突起は、前記スリットの長手方向に沿って複数設けられることが好ましい。
【発明の効果】
【００１２】
本発明は、器具本体の保持片をアース用ソケットのスリットに挿入する際に、スリットに露出する接触片が保持片に圧接する（弾性力をもって接触する）。したがって、本発明では、アース用ソケットを器具本体の保持部に取り付けるだけで、リード線を用いることなくアース用ソケットの導電部材を器具本体に容易に電気的に接続して接地することができる。
【図面の簡単な説明】
【００１３】
【図１】本発明に係る照明器具の実施形態１を示す分解斜視図である。
【図２】実施形態１の斜視図である。
【図３】実施形態１における導電板の斜視図である。
【図４】実施形態１におけるアース用ソケットの分解斜視図である。
【図５】実施形態１におけるＬＥＤランプの概略図である。
【図６】実施形態１において、ＬＥＤランプをアース用ソケットに取り付ける方法を示す図である。
【図７】実施形態１の変形例におけるアース用ソケット及び保持部の斜視図である。
【図８】実施形態１の変形例におけるアース用ソケットの分解斜視図である。
【図９】本発明に係る照明器具の実施形態２におけるアース用ソケットの分解斜視図である。
【図１０】実施形態２におけるアース用ソケットの斜視図である。
【図１１】図１０の破線Ａで示す領域の部分拡大図である。
【図１２】実施形態２における導電板と保持部との接触状態を示す図である。
【図１３】実施形態２の他の構成における導電板の斜視図である。
【図１４】従来の照明器具におけるアース用ソケットを示す斜視図である。
【発明を実施するための形態】
【００１４】
（実施形態１）
以下、本発明に係る照明器具の実施形態１について図面を用いて説明する。なお、以下の説明では、図４に示す矢印により、上下左右方向及び前後方向を定める。本実施形態は、図１〜６に示すように、直管形のＬＥＤランプ５を装着可能なアース用ソケット１及び給電用ソケット（図示せず）と、アース用ソケット１に収納される導電板（導電部材）４と、各ソケットが取り付けられる器具本体６とを備える。なお、給電用ソケットについては従来周知であるので、ここでは詳細な説明を省略する。
【００１５】
アース用ソケット１は、外郭をＵ字状に形成した箱体から成り、図４に示すように、後面を開口した樹脂製のカバー２と、前面を開口した樹脂製のボディ３とを組み立てて構成される。
【００１６】
カバー２の前面には、図４に示すように、有底円筒状の収納突部２０を前向きに突出する形で一体に形成している。この収納突部２０の内部には、後述する導電板４の各挟持片４０Ａを収納する。収納突部２０には、図４に示すように、下面から前面にかけて開口するピン挿入孔２０Ａを設けている。このピン挿入孔２０Ａには、後述するＬＥＤランプ５の接地端子５２Ａを上下方向に沿ってスライド自在に挿入することができる。
【００１７】
カバー２後面の下端部には、図４に示すように、後向きに突出する第１係止片２Ａを一体に形成している。この第１係止片２Ａは、上下方向に沿って撓み自在であり、後述するボディ３の凹部（図示せず）周縁に引っ掛けることができる。また、カバー２後面における収納突部２０の上側には、上向きに突出する円柱状の位置決め突部２Ｂを一体に形成している（図９参照）。
【００１８】
カバー２の上端部には、図４に示すように、前向きに突出する直方体状の基台部２１を一体に形成している。基台部２１の前面には、図４に示すように、リード線（図示せず）の一端を挿入可能な１対の電線挿入孔２１Ａを貫設している。カバー２の左右両側壁には、図４に示すように、それぞれ後向きに突出する長尺板状の第２係止片２１Ｂを一体に形成している。各第２係止片２１Ｂは左右方向に沿って撓み自在であり、その先端部は何れも左右方向の外向きに突出している。これら各第２係止片２１Ｂの先端部は、後述するボディ３の各係止孔３４に挿入し、各係止孔３４の周縁に引っ掛けることができる。
【００１９】
ボディ３の内底部には、図４に示すように、前向きに突出する矩形板状の第１隔壁３０及び第２隔壁３１を設けている。各隔壁３０，３１は、図４に示すように、上下方向に沿って所定の間隔を空けて設けている。また、第２隔壁３１の前後方向における高さは、第１隔壁３０の前後方向における高さよりも低い。第１隔壁３０の上端面には、後述する導電板４の各挟持片４０を載置する。すなわち、導電板４をアース用ソケット１に収納する際に、各挟持片４０が第１隔壁３０の上端面に当たる。また、第２隔壁３１の上端面には、後述する導電板４の連結片４１を載置する。すなわち、導電板４をアース用ソケット１に収納する際に、連結片４１が第２隔壁３１の上端面に当たる。これにより、ボディ３内において導電板４を位置決めすることができる。
【００２０】
ボディ３上端部の左右両側壁には、図４に示すように、後述する保持部６０の各保持片６１がスライド自在に挿入される第１スリット３２を前後方向に沿って設けている。すなわち、アース用ソケット１の外壁にスリット（第１スリット３２）を設けている。各第１スリット３２の前端部には、後述する導電板４の各接触片４２Ａを各第１スリット３２内に配置できるように切り欠き３２Ａをそれぞれ設けている。これら切り欠き３２Ａに各接触片４２Ａを配置することで、各保持片６１の軌道上に各接触片４２Ａが位置することになる。また、ボディ３上端部の後壁には、図６に示すように、後述する保持部６０の後端部を挿入する第２スリット３３を左右方向に沿って設けている。
【００２１】
ボディ３内側の下端部には、カバー２の第１係止片２Ａが嵌合する凹部（図示せず）を形成している。また、ボディ３上端部の左右両側壁には、図４に示すように、カバー２の各第２係止片２１Ｂを挿入する係止孔３４をそれぞれ貫設している。したがって、カバー２の第１係止片２Ａをボディ３の凹部に嵌合してその周縁に係止し、且つ各第２係止片２１Ｂをボディ３の各係止孔３４に挿入してその周縁に係止することで、カバー２とボディ３とを結合することができる。
【００２２】
導電板４は、弾性を有する金属板から成る。導電板４は、図３に示すように、後述する接地端子５２Ａを挟持する１対の挟持片４０と、各挟持片４０の上端部を互いに連結する連結片４１とを備える。各挟持片４０の長手方向における中央部には、図４に示すように、それぞれ左右外側に向かって断面円弧状に湾曲する保持部４０Ａを設けている。これら保持部４０Ａの間で後述する接地端子５２Ａの頭部５２Ｂを挟持することで、接地端子５２Ａを機械的に保持する。そして、接地端子５２Ａが導電板４に電気的に接続される。すなわち、導電板４は、アース用口金５２に設けられた接地端子５２Ａに電気的に接続されるものである。
【００２３】
連結片４１の中央部には、図３に示すように、円形状の通孔４１Ａを貫設している。この通孔４１Ａにカバー２の位置決め突部２Ｂを挿入することで、導電板４をカバー２に対して位置決めすることができる。
【００２４】
連結片４１の上端部には、図３に示すように、後述する器具本体６に導電板４を電気的に接続するための接続部４２を一体に形成している。接続部４２の左右両端部には、図３に示すように、それぞれ接触片４２Ａを一体に形成している。各接触片４２Ａは、上下方向から見た断面がＶ字形状となるように折り曲げられている。各接触片４２は、左右方向における内向きに力が加えられると、変形することにより左右方向における外向きの弾性力を発生する。これら接触片４２Ａが、後述する器具本体６の各保持片６１に圧接する（弾性力をもって接触する）ようになっている。なお、各接触片４２Ａは、各保持片６１の上下方向の幅寸法の公差を吸収すべく、上下方向に沿って幅広となるように形成している。このため、各接触片４２Ａの接触可能な面積が大きくなることから、各保持片６１を各接触片４２Ａに圧接（弾性力をもって接触）し易くなっている。
【００２５】
接続部４２の上部には、図３に示すように、リード線の一端を結線するための速結端子構造を成す１対の鎖錠片４２Ｂを設けている。これら鎖錠片４２Ｂは、図４に示すように、導電板４をアース用ソケット１に収納する際に、カバー２の各電線挿入孔２１Ａと対向する形で配置される。なお、本実施形態では基本的にリード線を用いないため、リード線の一端を結線するために各鎖錠片４２Ｂを用いることはない。勿論、導電板４をより確実に接地するために、従来例と同様にリード線を用いた接続方法を、後述する本実施形態の接続方法と併用してもよい。
【００２６】
ＬＥＤランプ５は、図５に示すように、直管形のランプ本体５０を備える。ランプ本体５０の長手方向における両端には、図５に示すように、それぞれ給電用口金５１とアース用口金５２とを設けている。給電用口金５１には、図５に示すように、１対の板状の給電端子５１Ａを突設している。また、アース用口金５２には、図５に示すように、丸棒状の接地端子５２Ａを突設している。この接地端子５２Ａの先端部には、図６に示すように、平面視で長円形状の頭部５２Ｂを一体に形成している。
【００２７】
ここで、ＬＥＤランプ５のアース用口金５２をアース用ソケット１に取り付ける方法について図６を用いて説明する。先ず、頭部５２Ｂの長手方向が上下方向と沿う状態で、アース用口金５２の接地端子５２Ａをアース用ソケット１のピン挿入孔２０Ａに挿入する。そして、頭部５２Ｂを時計回り又は反時計回りに回動することで、頭部５２Ｂの長手方向の両端部が導電板４の各保持部４０Ａの間で挟持される。これにより、アース用口金５２をアース用ソケット１に取り付けることができる。なお、ＬＥＤランプ５の給電用口金５１を給電用ソケットに取り付ける方法については従来周知であるので、ここでは説明を省略する。
【００２８】
ランプ本体５０の内部には、図示しないが複数のＬＥＤを実装した基板を収納しており、これらＬＥＤのアノード及びカソードと、１対の給電端子５１Ａとを電気的に接続している。したがって、給電用口金５１を給電用ソケットに取り付け、各給電端子５１Ａを介して各ＬＥＤに点灯電力を供給することで、ＬＥＤランプ５を点灯することができる。なお、本実施形態ではＬＥＤランプ５を採用しているが、アース用口金５２を有するランプであれば他のランプであってもよい。
【００２９】
器具本体６は、ＬＥＤランプ５の長手方向に沿って長尺な金属製の箱体から成る。器具本体６の長手方向における両端部には、図１，２に示すように、それぞれ給電用ソケットとアース用ソケット１とを保持する（取り付ける）ための保持部（取付部）６０を設けている。なお、図１，２では、各保持部６０のうちアース用ソケット１を保持する保持部６０のみを図示している。保持部６０は、図１に示すように、その前端部から後端部にかけて矩形状に切り欠いて形成した保持孔（取付孔）６２を有する。この保持孔６２の内周縁には、アース用ソケット１を保持する１対の保持片（取付片）６１を一体に形成している。各保持片６１は、保持孔６２の内周縁の左右両辺からそれぞれ互いに近付く向きに突出する。また、各保持片６１は、零電位を有している。各保持片６１は、金属製の器具本体６の一部だからである。なお、「零電位」とは必ずしも電位が絶対的に零であることを意味せず、ほぼ零の電位であればよい。
【００３０】
以下、アース用ソケット１を器具本体６に取り付ける方法、及び導電板４を器具本体６に電気的に接続して接地する方法について説明する。先ず、図１に示すように、保持部６０の各保持片６１をアース用ソケット１の各第１スリット３２の位置に合わせる。そして、各保持片６１の前端部が各第１スリット３２の長手方向の一端（開口端）から各第１スリット３２に挿入されるようにして、アース用ソケット１を後方にスライドする。これにより、各第１スリット３２に各保持片６１が嵌合し、また、第２スリット３３に保持部６０の後端部が嵌合することで、アース用ソケット１を保持部６０に取り付けることができる（図２参照）。すなわち、各保持片６１は、各第１スリット３２に挿入されることでアース用ソケット１を保持する。
【００３１】
ここで、アース用ソケット１を後方にスライドする際に、各第１スリット３２を通して外部に露出する導電板４の各接触片４２Ａが、各保持片６１に押圧されて左右方向における内向きに変形する。これにより、各接触片４２Ａからは左右方向における外向きの弾性力が発生するため、各接触片４２Ａが各保持片６１に圧接する（弾性力をもって接触する）。したがって、各接触片４２Ａ及び各保持片６１を介して、導電板４を器具本体６に電気的に接続して接地することができる。
【００３２】
上述のように、本実施形態では、器具本体６の各保持片６１をアース用ソケット１の各第１スリット３２（スリット）に挿入する際に、各第１スリット３２に露出する各接触片４２Ａが各保持片６１に圧接する（弾性力をもって接触する）。したがって、本実施形態では、アース用ソケット１を器具本体６の保持部６０に取り付けるだけで、リード線を用いることなくアース用ソケット１の導電板４（導電部材）を器具本体６に容易に電気的に接続して接地することができる。
【００３３】
ところで、図８に示すように、導電板４の接触片４２Ａを上下方向の幅寸法が小さい接触片４２Ａ’で構成してもよい。以下、この構成について図７，８を用いて説明する。なお、基本的な構成は共通であり、既に説明しているので、共通する部位には同一の番号を付して説明を省略する。
【００３４】
各接触片４２Ａ’は、接触片４２Ａと同様に、左右方向における内向きに力が加えられると、変形することにより左右方向における外向きの弾性力を発生する。各接触片４２Ａ’は、各々その短手方向（上下方向）の幅寸法が各第１スリット３２の短手方向（上下方向）の幅寸法よりも僅かに小さくなっている。したがって、各接触片４２Ａ’は、各第１スリット３２に入り込む形で配置される。
【００３５】
以下、導電板４を器具本体６に電気的に接続して接地する方法について図７を用いて説明する。なお、同図における保持部６０’、各保持片６１’、保持孔６２’は、図１における保持部６０、各保持片６１、保持孔６２の図示を簡略化したものである。先ず、保持部６０’の各保持片６１’をアース用ソケット１の各第１スリット３２の位置に合わせる。そして、各保持片６１’の前端部が各第１スリット３２の長手方向の一端（開口端）から各第１スリット３２に挿入されるようにして、アース用ソケット１を後方にスライドする。
【００３６】
ここで、アース用ソケット１を後方にスライドする際に、各第１スリット３２に露出する導電板４の各接触片４２Ａ’が、各保持片６１’に押圧されて左右方向における内向きに変形する。これにより、各接触片４２Ａ’からは左右方向における外向きの弾性力が発生するため、各接触片４２Ａ’が各保持片６１’に圧接する（弾性力をもって接触する）。したがって、各接触片４２Ａ’及び各保持片６１を介して、導電板４を器具本体６に電気的に接続して接地することができる。
【００３７】
（実施形態２）
以下、本発明に係る照明器具の実施形態２について図面を用いて説明する。但し、本実施形態の基本的な構成は実施形態１と共通であるので、共通する部位には同一の番号を付して説明を省略する。本実施形態は、図９に示すように、実施形態１の接触片４２Ａの代わりに、接触片４２Ｃ及び突起４２Ｄを設けたことに特徴がある。なお、本実施形態の器具本体６の表面には、防錆用の塗装を施している。すなわち、器具本体６の表面は、防錆用の塗料６１Ａの被膜で覆われている。したがって、図１２に示すように、各保持片６１の上下両面も塗料６１Ａの被膜で覆われている。
【００３８】
接触片４２Ｃは、図９に示すように、接続部４２の左右両端部にそれぞれ一体に形成したものであり、前後方向に沿って長尺な板状部材である。各接触片４２Ｃは、後方から前方に向かうにつれて下方に傾斜している。したがって、各接触片４２Ｃは、上向きに力が加えられると、変形することにより下向きの弾性力を発生する。また、各接触片４２Ｃの中央部には、下向きに突出する矩形状の突起４２Ｄを切り起こして設けている（図１１参照）。すなわち、各接触片４２Ｃは、図１０，１１に示すように、各保持片６１と接触する部位よりも、各第１スリット３２の開口端（各保持片６１が挿入される一端）に近い部位に各突起４２Ｄを有する。各突起４２Ｄは、各接触片４２Ｃと同様に、上向きに力が加えられると、変形することにより下向きの弾性力を発生する。これら接触片４２Ｃ及び突起４２Ｄは、導電板４をアース用ソケット１内に収納すると、図１０，１１に示すように各第１スリット３２内に位置する。
【００３９】
以下、導電板４を器具本体６に電気的に接続して接地する方法について説明する。先ず、実施形態１と同様に、保持部６０の各保持片６１をアース用ソケット１の各第１スリット３２の位置に合わせる。そして、各保持片６１の前端部が各第１スリット３２の長手方向の一端（開口端）から各第１スリット３２に挿入されるようにして、アース用ソケット１を後方にスライドする。すると、各保持片６１が各突起４２Ｄに接触し、各突起４２Ｄを上向きに押圧する。その後、更にアース用ソケット１を後方にスライドすると、各突起４２Ｄが各保持片６１の上面に圧接する（弾性力をもって接触する）。このとき、図１２に示すように、各突起４２Ｄのエッジが各保持片６１の上面を摺動する（摺りながら動く）ことで、各保持片６１の上面を覆う塗料６１Ａを剥がすことができる。すなわち、各突起４２Ｄのエッジが、各保持片６１の表面を削る刃となる。
【００４０】
その後、更にアース用ソケット１を後方にスライドすると、各保持片６１が各接触片４２Ｃに接触し、各接触片４２Ｃを上向きに押圧する。これにより、各接触片４２Ｃが上向きに変形して下向きの弾性力を発生するため、各接触片４２Ｃが各保持片６１の上面に圧接する（弾性力をもって接触する）。このとき、各保持片６１の上面の塗料６１Ａの被膜が各突起４２Ｄにより既に剥がされている。このため、各接触片４２Ｃは、各保持片６１の上面における塗料６１Ａの被膜が剥がれた部位に圧接する（弾性力をもって接触する）。したがって、各接触片４２Ｃ及び各保持片６１を介して、導電板４を器具本体６に電気的に接続して接地することができる。
【００４１】
ここで、実施形態１では、器具本体６の表面に塗装を施している場合には、各保持片６１表面の塗料６１Ａの被膜を剥がす作業を行った後に、各接触片４２Ａと各保持片６１とを電気的に接続する作業を行う必要がある。これに対して、本実施形態では、各接触片４２Ｃと各保持片６１とを電気的に接続して接地する作業を行う際に、各突起４２Ｄにより、各保持片６１表面の塗料６１Ａの被膜を剥がす作業を併せて行うことができる。したがって、本実施形態では、各保持片６１の塗料６１Ａの被膜を剥がす作業を別途行う必要がなく、導電板４を器具本体６に容易に電気的に接続して接地することができる。
【００４２】
なお、図１３に示すように、各接触片４２Ｃに、それぞれ前後方向（第１スリット３２の長手方向）に沿って複数（図示では２つ）の突起４２Ｄを設けてもよい。この構成では、仮に最初に各保持片６１の上面に接触する突起４２Ｄが塗料６１Ａの被膜を剥がしきれない場合でも、後に各保持片６１の上面に接触する他の突起４２Ｄが塗料６１Ａの被膜を剥がすことができる。すなわち、この構成では、複数の突起４２Ｄにより、各保持片６１表面の塗料６１Ａの被膜をより確実に剥がすことができる。
【図１】
2013183204.tif 000003
【図２】
2013183204.tif 000004
【図３】
2013183204.tif 000005
【図４】
2013183204.tif 000006
【図５】
2013183204.tif 000007
【図６】
2013183204.tif 000008
【図７】
2013183204.tif 000009
【図８】
2013183204.tif 000010
【図９】
2013183204.tif 000011
【図１０】
2013183204.tif 000012
【図１１】
2013183204.tif 000013
【図１２】
2013183204.tif 000014
【図１３】
2013183204.tif 000015
【図１４】
2013183204.tif 000016
【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
ランプのアース用口金が接続されるアース用ソケットと、
前記アース用ソケットを保持する器具本体とを備え、
前記アース用ソケットは、その内部に収納される導電部材と、その外壁に設けられるスリットとを有し、
前記導電部材は、前記アース用口金に設けられた接地端子と電気的に接続するように構成され、
前記器具本体は、前記スリットに挿入されることで前記アース用ソケットを保持する保持片を有し、
前記保持片は、零電位を有し、
前記導電部材は、前記スリットを通して外部に露出し、且つ前記スリットに挿入された前記保持片に弾性力をもって接触する接触片を有することを特徴とする照明器具。
【請求項２】
前記スリットは、その長手方向の一端に開口端を有し、
前記保持片は、前記開口端を通して前記スリットに挿入され、
前記導電部材は、前記接触片が前記保持片と接触する部位よりも前記開口端に近い部位に突起を有し、
前記突起は、前記保持片の表面を削る刃を有することを特徴とする請求項１記載の照明器具。
【請求項３】
前記突起は、前記スリットの長手方向に沿って複数設けられることを特徴とする請求項２記載の照明器具。
【請求項４】
前記接触片は、前記スリットの長手方向と直交する第１方向の幅寸法が、前記保持片の前記第１方向の幅寸法よりも大きくなるように形成されていることを特徴とする請求項１記載の照明器具。
【請求項５】
前記スリットの内面には、前記接触片を外部に露出させる切り欠きが設けられ、
前記接触片は、前記切り欠きを通して前記保持片と接触するように構成されていることを特徴とする請求項１記載の照明器具。
【請求項６】
前記アース用ソケットは、一面を開口したカバーと、一面を開口したボディとを結合して構成され、
前記カバーは、それぞれ前記カバーの外壁に設けられて前記ボディに向かって突出する第１係止片及び第２係止片を有し、
前記ボディは、前記第１係止片が嵌合する凹部と、前記第２係止片が挿入されて周縁に前記第２係止片が引っ掛かる係止孔とを有することを特徴とする請求項１記載の照明器具。
【請求項７】
前記導電部材は、通孔を有し、
前記カバーは、前記通孔に挿入される位置決め突部を有することを特徴とする請求項６記載の照明器具。
【請求項８】
前記接触片は、前記スリットの長手方向と直交する第１方向の幅寸法が、前記スリットの前記第１方向の幅寸法よりも小さくなるように形成されていることを特徴とする請求項１記載の照明器具。
【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
ランプのアース用口金が接続されるアース用ソケットと、
前記アース用ソケットを保持する器具本体とを備え、
前記アース用ソケットは、その内部に収納される導電部材と、その外壁に設けられるスリットとを有し、
前記導電部材は、前記アース用口金に設けられた接地端子と電気的に接続するように構成され、
前記器具本体は、前記スリットに挿入されることで前記アース用ソケットを保持する保持片を有し、
前記保持片は、零電位を有し、
前記導電部材は、前記スリットを通して外部に露出し、且つ前記スリットに挿入された前記保持片に弾性力をもって接触する接触片を有し、
前記スリットは、その長手方向の一端に開口端を有し、
前記保持片は、前記開口端を通して前記スリットに挿入され、
前記導電部材は、前記接触片が前記保持片と接触する部位よりも前記開口端に近い部位に突起を有し、
前記突起は、前記保持片の表面を削る刃を有することを特徴とする照明器具。
【請求項２】
前記突起は、前記スリットの長手方向に沿って複数設けられることを特徴とする請求項１記載の照明器具。
【請求項３】
ランプのアース用口金が接続されるアース用ソケットと、
前記アース用ソケットを保持する器具本体とを備え、
前記アース用ソケットは、その内部に収納される導電部材と、その外壁に設けられるスリットとを有し、
前記導電部材は、前記アース用口金に設けられた接地端子と電気的に接続するように構成され、
前記器具本体は、前記スリットに挿入されることで前記アース用ソケットを保持する保持片を有し、
前記保持片は、零電位を有し、
前記導電部材は、前記スリットを通して外部に露出し、且つ前記スリットに挿入された前記保持片に弾性力をもって接触する接触片を有し、
前記接触片は、前記スリットの長手方向と直交する第１方向の幅寸法が、前記保持片の前記第１方向の幅寸法よりも大きくなるように形成されていることを特徴とする照明器具。
【請求項４】
前記接触片は、前記スリットの長手方向と直交する第１方向の幅寸法が、前記スリットの前記第１方向の幅寸法よりも小さくなるように形成されていることを特徴とする請求項３記載の照明器具。
【請求項５】
ランプのアース用口金が接続されるアース用ソケットと、
前記アース用ソケットを保持する器具本体とを備え、
前記アース用ソケットは、その内部に収納される導電部材と、その外壁に設けられるスリットとを有し、
前記導電部材は、前記アース用口金に設けられた接地端子と電気的に接続するように構成され、
前記器具本体は、前記スリットに挿入されることで前記アース用ソケットを保持する保持片を有し、
前記保持片は、零電位を有し、
前記導電部材は、前記スリットを通して外部に露出し、且つ前記スリットに挿入された前記保持片に弾性力をもって接触する接触片を有し、
前記スリットの内面には、前記接触片を外部に露出させる切り欠きが設けられ、
前記接触片は、前記切り欠きを通して前記保持片と接触するように構成されていることを特徴とする照明器具。
【請求項６】
ランプのアース用口金が接続されるアース用ソケットと、
前記アース用ソケットを保持する器具本体とを備え、
前記アース用ソケットは、その内部に収納される導電部材と、その外壁に設けられるスリットとを有し、
前記導電部材は、前記アース用口金に設けられた接地端子と電気的に接続するように構成され、
前記器具本体は、前記スリットに挿入されることで前記アース用ソケットを保持する保持片を有し、
前記保持片は、零電位を有し、
前記導電部材は、前記スリットを通して外部に露出し、且つ前記スリットに挿入された前記保持片に弾性力をもって接触する接触片を有し、
前記アース用ソケットは、一面を開口したカバーと、一面を開口したボディとを結合して構成され、
前記カバーは、それぞれ前記カバーの外壁に設けられて前記ボディに向かって突出する第１係止片及び第２係止片を有し、
前記ボディは、前記第１係止片が嵌合する凹部と、前記第２係止片が挿入されて周縁に前記第２係止片が引っ掛かる係止孔とを有することを特徴とする照明器具。
【請求項７】
前記導電部材は、通孔を有し、
前記カバーは、前記通孔に挿入される位置決め突部を有することを特徴とする請求項６記載の照明器具。
【手続補正２】
【補正対象書類名】明細書
【補正対象項目名】０００９
【補正方法】変更
【補正の内容】
【０００９】
本発明の照明器具は、ランプのアース用口金が接続されるアース用ソケットと、前記アース用ソケットを保持する器具本体とを備える。前記アース用ソケットは、その内部に収納される導電部材と、その外壁に設けられるスリットとを有する。前記導電部材は、前記アース用口金に設けられた接地端子と電気的に接続するように構成される。前記器具本体は、前記スリットに挿入されることで前記アース用ソケットを保持する保持片を有する。前記保持片は、零電位を有する。前記導電部材は、前記スリットを通して外部に露出し、且つ前記スリットに挿入された前記保持片に弾性力をもって接触する接触片を有する。前記スリットは、その長手方向の一端に開口端を有する。前記保持片は、前記開口端を通して前記スリットに挿入される。前記導電部材は、前記接触片が前記保持片と接触する部位よりも前記開口端に近い部位に突起を有する。前記突起は、前記保持片の表面を削る刃を有することを特徴とする。
本発明の照明器具は、ランプのアース用口金が接続されるアース用ソケットと、前記アース用ソケットを保持する器具本体とを備える。前記アース用ソケットは、その内部に収納される導電部材と、その外壁に設けられるスリットとを有する。前記導電部材は、前記アース用口金に設けられた接地端子と電気的に接続するように構成される。前記器具本体は、前記スリットに挿入されることで前記アース用ソケットを保持する保持片を有する。前記保持片は、零電位を有する。前記導電部材は、前記スリットを通して外部に露出し、且つ前記スリットに挿入された前記保持片に弾性力をもって接触する接触片を有する。前記接触片は、前記スリットの長手方向と直交する第１方向の幅寸法が、前記保持片の前記第１方向の幅寸法よりも大きくなるように形成されていることを特徴とする。
本発明の照明器具は、ランプのアース用口金が接続されるアース用ソケットと、前記アース用ソケットを保持する器具本体とを備える。前記アース用ソケットは、その内部に収納される導電部材と、その外壁に設けられるスリットとを有する。前記導電部材は、前記アース用口金に設けられた接地端子と電気的に接続するように構成される。前記器具本体は、前記スリットに挿入されることで前記アース用ソケットを保持する保持片を有する。前記保持片は、零電位を有する。前記導電部材は、前記スリットを通して外部に露出し、且つ前記スリットに挿入された前記保持片に弾性力をもって接触する接触片を有する。前記スリットの内面には、前記接触片を外部に露出させる切り欠きが設けられる。前記接触片は、前記切り欠きを通して前記保持片と接触するように構成されていることを特徴とする。
本発明の照明器具は、ランプのアース用口金が接続されるアース用ソケットと、前記アース用ソケットを保持する器具本体とを備える。前記アース用ソケットは、その内部に収納される導電部材と、その外壁に設けられるスリットとを有する。前記導電部材は、前記アース用口金に設けられた接地端子と電気的に接続するように構成される。前記器具本体は、前記スリットに挿入されることで前記アース用ソケットを保持する保持片を有する。前記保持片は、零電位を有する。前記導電部材は、前記スリットを通して外部に露出し、且つ前記スリットに挿入された前記保持片に弾性力をもって接触する接触片を有する。前記アース用ソケットは、一面を開口したカバーと、一面を開口したボディとを結合して構成される。前記カバーは、それぞれ前記カバーの外壁に設けられて前記ボディに向かって突出する第１係止片及び第２係止片を有する。前記ボディは、前記第１係止片が嵌合する凹部と、前記第２係止片が挿入されて周縁に前記第２係止片が引っ掛かる係止孔とを有することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【国際調査報告】
2013183204.tif 000017
2013183204.tif 000018
2013183204.tif 000019
2013183204.tif 000020